(57)【要約】【課題】携帯情報端末と印刷装置との間で各種情報の送受信をおこない印刷する。【解決手段】携帯情報端末１００は、任意の画像データのイメージ画像にはめ込み合成される複数の画像フレームの中から、文字情報を編集可能な文字編集領域を有する画像フレームを抽出し、抽出した画像フレームを表示画面１０６に表示し、表示された画像フレームの文字編集領域に任意の文字情報を入力し、任意の画像データと、画像フレームとを印刷装置１５０に送信する。印刷装置１５０は、任意の画像データと、画像フレームと、を携帯情報端末１００から受信し、受信した画像データおよび画像フレームを合成し、画像フレームが合成された画像データを印刷出力する。【選択図】        図１
2006277493.tif 000002
【特許請求の範囲】
【請求項１】
任意の画像データのイメージ画像にはめ込み合成される複数の画像フレームの中から、文字情報を編集可能な文字編集領域を有する画像フレームを抽出する抽出手段と、
前記抽出手段によって抽出された前記画像フレームを表示画面に表示する表示手段と、
前記表示手段によって表示された前記画像フレームの前記文字編集領域に任意の前記文字情報を入力する文字情報入力手段と、
任意の前記画像データと、前記画像フレームとを印刷装置に送信する送信手段と、
を備えることを特徴とする携帯情報端末。
【請求項２】
前記抽出手段は、
複数の前記画像フレームの属性情報に基づいて、前記文字編集領域を有する画像フレームを抽出することを特徴とする請求項１に記載の携帯情報端末。
【請求項３】
前記表示手段は、
前記抽出手段によって抽出された前記画像フレームの前記文字編集領域のみを前記表示画面に表示することを特徴とする請求項１または２に記載の携帯情報端末。
【請求項４】
前記文字情報入力手段は、
前記画像フレームの前記文字編集領域にあらかじめ設定された複数の前記文字情報の中から、任意の前記文字情報を選択することによって入力することを特徴とする請求項１〜３のいずれか一つに記載の携帯情報端末。
【請求項５】
任意の画像データと、当該画像データのイメージ画像にはめ込み合成されるとともに文字情報を編集可能な文字編集領域に任意の前記文字情報が入力された画像フレームと、を携帯情報端末から受信する受信手段と、
前記受信手段によって受信された前記画像データおよび前記画像フレームを合成する合成手段と、
前記合成手段によって前記画像フレームが合成された前記画像データを印刷出力する印刷手段と、
を備えることを特徴とする印刷装置。
【請求項６】
任意の画像データのイメージ画像にはめ込み合成される複数の画像フレームの中から、文字情報を編集可能な文字編集領域を有する画像フレームを抽出する抽出工程と、
前記抽出工程によって抽出された前記画像フレームを表示画面に表示する表示工程と、
前記表示工程によって表示された前記画像フレームの前記文字編集領域に任意の前記文字情報を入力する文字情報入力工程と、
任意の前記画像データと、前記画像フレームとを印刷装置に送信する送信工程と、
を含んだことを特徴とする印刷方法。
【請求項７】
任意の画像データと、当該画像データのイメージ画像にはめ込み合成されるとともに文字情報を編集可能な文字編集領域に任意の前記文字情報が入力された画像フレームと、を携帯情報端末から受信する受信工程と、
前記受信工程によって受信された前記画像データおよび前記画像フレームを合成する合成工程と、
前記合成工程によって前記画像フレームが合成された前記画像データを印刷出力する印刷工程と、
を含んだことを特徴とする印刷方法。
【請求項８】
請求項６または７に記載の印刷方法をコンピュータに実行させることを特徴とする印刷プログラム。
【請求項９】
請求項８に記載の印刷プログラムを記録したことを特徴とするコンピュータに読み取り可能な記録媒体。
【発明の詳細な説明】
【技術分野】
【０００１】
この発明は、携帯情報端末と印刷装置との間で送受信される情報に基づいて印刷をおこなう携帯情報端末、印刷装置、印刷方法、印刷プログラム、および記録媒体に関する。
【背景技術】
【０００２】
近年、たとえば携帯電話機などの携帯情報端末から画像データなどのコンテンツをサーバにアップロードしてレイアウトし、所望の冊子などの印刷物の形態に出力することができる印刷用データ送信・管理システムが提供されている。
【０００３】
このような印刷用データ送信・管理システムを含む印刷システムは、たとえばつぎのように構成される。すなわち、ユーザの携帯情報端末からアクセスがおこなわれるサーバシステムにおいて、ユーザが携帯情報端末からコンテンツデータを送信してコンテンツデータベースに記憶させ、印刷物を構成するデータのレイアウトテンプレートを選択するレイアウトテンプレート指定処理と、レイアウトテンプレート中に挿入されるコンテンツデータ、文字データなどのデータの編集をおこなう編集指定処理と、印刷物の部数や紙質、サイズなどの出力指定をおこなう出力指定処理と、指定されたレイアウトテンプレート指定データ、編集指定データ、出力指定データをコンテンツデータベースに記憶させ、課金情報処理と、をおこないユーザデータベースに記憶させることにより、印刷物の発注処理をおこなうことが可能な構成とされている（たとえば、特許文献１を参照。）。
【０００４】
【特許文献１】特開２００３−２６３４７１号公報
【発明の開示】
【発明が解決しようとする課題】
【０００５】
しかしながら、上記従来技術の印刷システムでは、たとえば画像データなどのコンテンツデータを印刷出力したり、レイアウトテンプレートなどを選択して指定するために、携帯情報端末からサーバへアクセスし、コンテンツデータやレイアウトテンプレートの選択や指定などの各種の処理に対する操作入力をする必要がある。このため、たとえば携帯情報端末からの各種情報を用いて印刷装置によって印刷をおこなうまでに、携帯情報端末からサーバへの通信を確立して各種の操作入力をおこなう必要があり、サーバへの通信が必須となるとともに、携帯情報端末側のユーザにとって煩雑な作業が増えてしまうことが考えられる。特に、レイアウトテンプレートを選択して指定する処理に関しては、ユーザが容易かつ直感的に作業できる方が好ましいと想定される。
【０００６】
この発明は、上記課題を解決するためになされたものであり、携帯情報端末と印刷装置との間で各種情報の送受信をおこなって印刷することができる携帯情報端末、印刷装置、印刷方法、印刷プログラム、および記録媒体を提供することを目的とする。
【課題を解決するための手段】
【０００７】
上記課題を解決するために、この発明にかかる携帯情報端末は、任意の画像データのイメージ画像にはめ込み合成される複数の画像フレームの中から、文字情報を編集可能な文字編集領域を有する画像フレームを抽出する抽出手段と、前記抽出手段によって抽出された前記画像フレームを表示画面に表示する表示手段と、前記表示手段によって表示された前記画像フレームの前記文字編集領域に任意の前記文字情報を入力する文字情報入力手段と、任意の前記画像データと、前記画像フレームとを印刷装置に送信する送信手段と、を備えることを特徴とする。
【０００８】
この発明の携帯情報端末によれば、任意の画像データのイメージ画像にはめ込み合成される複数の画像フレームの中から、文字情報を編集可能な文字編集領域を有する画像フレームが抽出されて表示され、表示された画像フレームの文字編集領域に任意の文字情報が入力されて、画像データと画像フレームとが印刷装置に送信される。
【０００９】
これにより、携帯情報端末から画像データと画像フレームとを印刷装置に対して送信し、印刷装置に文字情報が入力された画像データの印刷をおこなわせることができる。
【００１０】
また、複数の画像フレームから文字編集領域を有する画像フレームを抽出して文字情報を入力することで、画像フレームの選択処理や文字情報の入力処理などに関してユーザが容易かつ直感的に作業することができる。
【００１１】
また、この発明の携帯情報端末の前記抽出手段は、複数の前記画像フレームの属性情報に基づいて、前記文字編集領域を有する画像フレームを抽出することを特徴とする。
【００１２】
このため、複数の画像フレームの中から、文字編集領域を有する画像フレームが属性情報に基づいて抽出される。
【００１３】
これにより、複数の画像フレームの中から、文字編集領域を有する画像フレームを効率よく抽出することができる。
【００１４】
また、この発明の携帯情報端末の前記表示手段は、前記抽出手段によって抽出された前記画像フレームの前記文字編集領域のみを前記表示画面に表示することを特徴とする。
【００１５】
このため、抽出された画像フレームの文字編集領域は、携帯情報端末の表示画面に表示される。
【００１６】
これにより、抽出した画像フレームの文字編集領域に任意の文字情報を入力する際に、表示された文字編集領域を視認しながら容易かつ直感的に入力することができる。
【００１７】
また、この発明の携帯情報端末の前記文字情報入力手段は、前記画像フレームの前記文字編集領域にあらかじめ設定された複数の前記文字情報の中から、任意の前記文字情報を選択することによって入力することを特徴とする。
【００１８】
このため、抽出した画像フレームの文字編集領域にあらかじめ設定された複数の文字情報の中から、任意の文字情報が選択されることによって入力される。
【００１９】
これにより、抽出した画像フレームの文字編集領域に任意の文字情報を入力する際に、あらかじめ設定された複数の文字情報の中から、選択した文字情報を入力することができる。
【００２０】
この発明にかかる印刷装置は、任意の画像データと、当該画像データのイメージ画像にはめ込み合成されるとともに文字情報を編集可能な文字編集領域に任意の前記文字情報が入力された画像フレームと、を携帯情報端末から受信する受信手段と、前記受信手段によって受信された前記画像データおよび前記画像フレームを合成する合成手段と、前記合成手段によって前記画像フレームが合成された前記画像データを印刷出力する印刷手段と、を備えることを特徴とする。
【００２１】
この発明の印刷装置によれば、任意の画像データと、当該画像データにはめ込み合成され文字情報が入力された画像フレームと、が携帯情報端末から受信され、これら画像データおよび画像フレームが合成されて、画像データが印刷される。
【００２２】
これにより、携帯情報端末から各種情報を受信するといった簡単な作業で文字情報を合成した画像フレームとともに画像データを印刷することができ、画像印刷処理におけるユーザにとっての煩雑な作業の軽減を図ることができる。
【００２３】
さらに、この発明にかかる印刷方法は、任意の画像データのイメージ画像にはめ込み合成される複数の画像フレームの中から、文字情報を編集可能な文字編集領域を有する画像フレームを抽出する抽出工程と、前記抽出工程によって抽出された前記画像フレームを表示画面に表示する表示工程と、前記表示工程によって表示された前記画像フレームの前記文字編集領域に任意の前記文字情報を入力する文字情報入力工程と、任意の前記画像データと、前記画像フレームとを印刷装置に送信する送信工程と、を含んだことを特徴とする。
【００２４】
また、この発明にかかる印刷方法は、任意の画像データと、当該画像データのイメージ画像にはめ込み合成されるとともに文字情報を編集可能な文字編集領域に任意の前記文字情報が入力された画像フレームと、を携帯情報端末から受信する受信工程と、前記受信工程によって受信された前記画像データおよび前記画像フレームを合成する合成工程と、前記合成工程によって前記画像フレームが合成された前記画像データを印刷出力する印刷工程と、を含んだことを特徴とする。
【００２５】
この発明の印刷方法によれば、任意の画像データのイメージ画像にはめ込み合成される複数の画像フレームの中から、文字情報を編集可能な文字編集領域を有する画像フレームが抽出されて表示され、表示された画像フレームの文字編集領域に任意の文字情報が入力されて、画像データと画像フレームとが印刷装置に送信されるとともに、任意の画像データと、当該画像データにはめ込み合成され文字情報が入力された画像フレームと、が携帯情報端末から受信され、これら画像データおよび画像フレームが合成されて、画像データが印刷される。
【００２６】
これにより、携帯情報端末から画像データと画像フレームとを印刷装置に対して送信し、印刷装置に文字情報が入力された画像データの印刷をおこなわせることができるとともに、複数の画像フレームから文字編集領域を有する画像フレームを抽出して文字情報を入力することで、画像フレームの選択処理や文字情報の入力処理などに関してユーザが容易かつ直感的に作業することができる。また、携帯情報端末から各種情報を受信するといった簡単な作業で文字情報を合成した画像フレームとともに画像データを印刷することができ、画像印刷処理におけるユーザにとっての煩雑な作業の軽減を図ることができる。
【００２７】
また、この発明にかかる印刷プログラムは、上述した印刷方法をコンピュータに実行させることを特徴とする。
【００２８】
このため、この発明の印刷プログラムを実行することにより、上述した印刷方法によって得られる動作がコンピュータによって実現される。
【００２９】
これにより、上述した印刷方法の実現によって得られる各種効果を奏することができる。
【００３０】
さらに、この発明にかかる記録媒体は、上述した印刷プログラムをコンピュータに読み取り可能に記録している。
【００３１】
このため、記録された印刷プログラムをコンピュータによって読み取らせ、実行させることによって、上述した印刷プログラムの実行によって得られる各種動作が実現される。
【００３２】
これにより、上述した印刷プログラムの実行によって得られる各種効果を奏することができる。
【発明を実施するための最良の形態】
【００３３】
以下に添付図面を参照して、この発明にかかる携帯情報端末、印刷装置、印刷方法、印刷プログラム、および記録媒体の好適な実施の形態を詳細に説明する。
【００３４】
（携帯情報端末および印刷装置の機能的構成）
図１は、この実施の形態における携帯情報端末および印刷装置の機能的構成の一例を示すブロック図である。この実施の形態における携帯情報端末１００は、抽出部１０１と、表示部１０２と、文字情報入力部１０３と、送信部１０４と、を備え、たとえば取得部１０５と、表示画面１０６と、記憶部１０７と、を有して構成されている。また、この実施の形態における印刷装置１５０は、受信部１５１と、合成部１５２と、印刷部１５３と、を備えて構成されている。
【００３５】
これら携帯情報端末１００と印刷装置１５０とは、たとえば赤外線通信によって直接各種情報の送受信が可能な構成となっている。ここで、携帯情報端末１００としては、たとえば携帯電話機やＰＤＡ（Ｐｅｒｓｏｎａｌ  Ｄｉｇｉｔａｌ  Ａｓｓｉｓｔａｎｃｅ）などの携帯可能な情報端末を用いることができる。また、印刷装置１５０としては、たとえばスキャナ、プリンタ、コピー機能が一体となった複合機を用いることができる。
【００３６】
携帯情報端末１００の抽出部１０１は、任意の画像データのイメージ画像にはめ込み合成される複数の画像フレームの中から、文字情報を編集可能な文字編集領域を有する画像フレームを抽出する。表示部１０２は、抽出部１０１によって抽出された画像フレームを表示画面１０６に表示する。文字情報入力部１０３は、表示部１０２によって表示画面１０６に表示された画像フレームの文字編集領域に任意の文字情報を入力する。送信部１０４は、たとえば携帯情報端末１００の記憶部１０７に記憶された任意の画像データと、文字情報入力部１０３によって文字編集領域に任意の文字情報が入力された画像フレームとを印刷装置１５０に送信する。
【００３７】
取得部１０５は、たとえば携帯情報端末１００に備えられた図示しない撮影部によって撮影された画像データや、インターネットなどのネットワーク網を介して図示しない外部のサーバから提供される画像フレームなどの各種情報を取得する。表示画面１０６は、表示部１０２によって制御され、携帯情報端末１００が有する各種情報を表示する。記憶部１０７は、携帯情報端末１００が有する各種情報を一時的あるいは恒久的に記憶する。
【００３８】
ここで、抽出部１０１は、たとえば取得部１０５を介して外部のサーバから提供される複数の画像フレームの属性情報に基づいて、文字編集領域を有する画像フレームを抽出する。属性情報は、画像フレームのファイル名、ファイル構成情報、識別子や拡張子などから構成される。また、表示部１０２は、表示画面１０６を制御して、抽出部１０１によって抽出された画像フレームの文字編集領域のみを表示画面１０６に表示する。これにより、文字編集領域のみを確認しながら文字情報の入力をすることができる。
【００３９】
また、文字情報入力部１０３は、画像フレームの文字編集領域にあらかじめ設定された複数の文字情報の中から、任意の文字情報を選択することによって入力する。これにより、文字情報を文字編集領域に直接入力操作によって入力しなくても、あらかじめ設定された文字情報の中から選択して入力することが可能となる。
【００４０】
一方、印刷装置１５０の受信部１５１は、任意の画像データと、当該画像データのイメージ画像にはめ込み合成されるとともに文字情報を編集可能な文字編集領域に任意の文字情報が入力された画像フレームと、を携帯情報端末１００から受信する。合成部１５２は、受信部１５１によって受信された画像データおよび画像フレームを合成する。印刷部１５３は、合成部１５２によって画像フレームが合成された画像データを印刷出力する。
【００４１】
（携帯情報端末のハードウェア構成）
図２は、この実施の形態における携帯情報端末１００のハードウェア構成の一例を示すブロック図である。なお、以降において、既に説明した部分と重複する箇所は同一の符号を附して説明を省略する。この実施の形態における携帯情報端末１００は、ＣＰＵ２０１と、ＲＯＭ２０２と、ＲＡＭ２０３と、ユーザ操作部２０４と、ディスプレイ２０５と、インタフェース（Ｉ／Ｆ）２０６と、ＨＤＤ２０７と、ＨＤ２０８と、記録媒体デコード部２０９と、記録媒体２１０と、を備えて構成され、複数の画像フレームの中から、文字情報を編集可能な文字編集領域を有する画像フレームを抽出し、文字編集領域に文字情報を入力して、任意の画像データと、画像フレームとを印刷装置１５０に送信する。
【００４２】
ＣＰＵ（Ｃｅｎｔｒａｌ  Ｐｒｏｃｅｓｓｉｎｇ  Ｕｎｉｔ）２０１は、所定の演算処理を実行し、この携帯情報端末１００の全体を制御するとともに、前述の抽出部１０１、表示部１０２、および文字情報入力部１０３の機能を実現する。ＲＯＭ（Ｒｅａｄ  Ｏｎｌｙ  Ｍｅｍｏｒｙ）２０２は、各種制御プログラムを格納する。ＲＯＭ２０２に格納されたデータは、ユーザの操作によって書き換えることが可能ではあるが、電源ＯＦＦによって消去されることはないものとする。
【００４３】
ＣＰＵ２０１は、たとえばＲＯＭ２０２などに格納された制御プログラムに基づいて、後述する記録媒体デコード部２０９を介して記録媒体２１０から読み込んだ複数の画像フレームや、Ｉ／Ｆ２０６を介して図示しない外部のサーバなどから取得した複数の画像フレームの中から、文字情報を編集可能な文字編集領域を有する画像フレームを抽出する。また、ＣＰＵ２０１は、後述するディスプレイ２０５を制御して、複数の画像フレームをディスプレイ２０５に表示する。このディスプレイ２０５によって、前述の表示画面１０６の機能を実現する。複数の画像フレームは、複数の画像フレームを示す複数の文字列などによって表示されてもよい。また、ＣＰＵ２０１は、ユーザによってユーザ操作部２０４から入力された任意の文字情報を、抽出した画像フレームの文字編集領域に入力する。
【００４４】
ＣＰＵ２０１は、文字編集領域を有する画像フレームを、複数の画像フレームの属性情報に基づいて抽出する。この抽出処理は、たとえば画像フレームのファイル名、ファイル構成情報、識別子や拡張子などの属性情報に基づいておこなわれる。
【００４５】
さらに、ＣＰＵ２０１は、外部のメディアや記録媒体２１０などから取得した画像データと、文字編集領域に文字情報が入力された画像フレームとを印刷装置１５０に送信する。また、ＣＰＵ２０１は、画像フレーム上に文字編集領域が複数ある場合、各文字編集領域に文字情報を埋め込み合成するように対応付ける。なお、上記画像データ、画像フレーム、および文字情報を受信した印刷装置１５０は、これらの各種情報を合成して印刷出力する。これら各種情報の合成処理は、携帯情報端末１００でおこなってもよい。
【００４６】
また、ＣＰＵ２０１は、たとえばディスプレイ２０５を制御して、複数の画像フレームや抽出した画像フレームの他に、取得した画像データや、印刷装置１５０で合成処理される合成結果をあらわすイメージ画像などを表示してもよい。抽出した画像フレームは、画像フレームを示す文字列などによって表示されてもよい。
【００４７】
ＲＡＭ（Ｒａｎｄｏｍ  Ａｃｃｅｓｓ  Ｍｅｍｏｒｙ）２０３は、可変的なデータを書き換え自在に記憶し、ＣＰＵ２０１のワークエリアとして機能する。ＲＡＭ２０３は、電源ＯＦＦによって記憶されたデータが消去される揮発性のメモリであってもよいし、バッテリなどによってバックアップされることによる不揮発性のメモリとしてもよい。このＲＡＭ２０３は、たとえば画像データや複数の画像フレーム、文字情報などの各種情報を一時的あるいは恒久的に記憶する。前述の記憶部１０７は、これらＲＯＭ２０２およびＲＡＭ２０３によってその機能を実現する。
【００４８】
ユーザ操作部２０４は、文字、数値、各種指示など、ユーザによって入力操作された情報をＣＰＵ２０１に対して出力する。ユーザ操作部２０４の構成としては、物理的な押下／非押下を検出する押ボタンスイッチ、タッチパネル、キーボード、ジョイスティック、トラックボールなど公知の各種形態を採用することが可能である。このユーザ操作部２０４は、外部からの音声を入力するマイクを用いて、音声によって入力操作を行う形態としてもよい。
【００４９】
なお、このユーザ操作部２０４は、携帯情報端末１００本体に対して一体的に設けられていてもよいし、リモコンのように携帯情報端末１００に対して着脱可能で離間的に操作可能な形態であってもよい。ユーザ操作部２０４は、上述した各種形態のうちいずれか単一の形態で構成されていてもよいし、複数の形態で構成されていてもよい。ユーザは、ユーザ操作部２０４の形態に応じて適宜入力操作をおこなうことで情報を入力する。ユーザ操作部２０４の操作によって入力される情報として、たとえば任意の画像フレームの選択を指示する情報や、文字入力領域に入力される文字情報などが挙げられる。
【００５０】
ユーザ操作部２０４の形態として、たとえば、タッチパネルを採用する場合、このタッチパネルはディスプレイ２０５の表示面側に積層して使用される。この場合、ディスプレイ２０５における表示タイミングとタッチパネル（ユーザ操作部２０４）に対する操作タイミングおよびその位置座標とを管理することによって、入力情報を認識する。ユーザ操作部２０４の形態としてディスプレイ２０５に積層されたタッチパネルを採用することにより、ユーザ操作部２０４を大型化することなく多くの情報入力を行うことができる。なお、タッチパネルとしては、抵抗膜式、感圧式など公知の各種タッチパネルを用いることが可能である。
【００５１】
ディスプレイ２０５は、たとえば、ＣＲＴ（Ｃａｔｈｏｄｅ  Ｒａｙ  Ｔｕｂｅ）、ＴＦＴ（Ｔｈｉｎ  Ｆｉｌｍ  Ｔｒａｎｓｉｓｔｏｒ）液晶ディスプレイ、有機ＥＬ（Ｅｌｅｃｔｒｏｌｕｍｉｎｅｓｃｅｎｃｅ）ディスプレイ、プラズマディスプレイなどの各種ディスプレイ装置を含む。ディスプレイ２０５は、具体的には、たとえば、図示しない映像Ｉ／Ｆや映像Ｉ／Ｆに接続された映像表示用のディスプレイ装置によって構成することができる。映像Ｉ／Ｆは、具体的には、たとえば、ディスプレイ装置全体の制御を行うグラフィックコントローラと、即時表示可能な画像情報を一時的に記憶するＶＲＡＭ（Ｖｉｄｅｏ  ＲＡＭ）などのバッファメモリと、グラフィックコントローラから出力される画像情報に基づいて、ディスプレイ装置を表示制御する制御ＩＣやＧＰＵ（Ｇｒａｐｈｉｃｓ  Ｐｒｏｃｅｓｓｉｎｇ  Ｕｎｉｔ）などによって構成される。
【００５２】
ディスプレイ２０５には、アイコン、カーソル、メニュー、ウィンドウ、あるいは文字や画像などの各種情報が表示される。また、ディスプレイ２０５には、たとえば画像フレームにあらかじめ設定された文字情報の文字列や、合成処理された画像データおよび画像フレームのイメージ画像や、各種の印刷条件などの情報が表示される。なお、印刷条件などの情報は、たとえばアイコンの形態で表示されており、ユーザ操作部２０４によってカーソルを操作しアイコンを指定することで、印刷条件などを指定することができる。
【００５３】
Ｉ／Ｆ２０６は、たとえば通信Ｉ／Ｆの機能を備え、前述の送信部１０４や取得部１０５の機能を実現し、リモートコントロール機器などの他の機器と携帯情報端末１００との間で各種情報の送受信をおこなったり、たとえば印刷装置１５０との間で通信をおこなったり、インターネットなどのネットワーク網を介して図示しない外部のサーバとの間で通信をおこなったりする。
【００５４】
ここで、このＩ／Ｆ２０６における各種情報の送受信は、たとえば、有線、無線を問わずおこなわれる。このＩ／Ｆ２０６は、この実施の形態では、具体的には携帯情報端末１００と印刷装置１５０との間で、画像データや画像フレーム、文字情報などの送受信をおこなう。この実施の形態のＩ／Ｆ２０６は、たとえば携帯電話機のように、図示しない基地局を介して通信サーバと通信をおこなう通信モジュールであってもよく、印刷装置１５０との間で直接無線通信をおこなう通信モジュールであってもよい。
【００５５】
ここで、Ｉ／Ｆ２０６による無線通信とは、通信の媒体となるワイヤ線を使用せずに、電波や赤外線、超音波などを用いておこなわれる通信のことをいう。無線通信を可能とする規格には、たとえば無線ＬＡＮ（Ｌｏｃａｌ  Ａｒｅａ  Ｎｅｔｗｏｒｋ）、ＩｒＤＡ（Ｉｎｆｒａｒｅｄ  Ｄａｔａ  Ａｓｓｏｃｉａｔｉｏｎ）、ＨｏｍｅＲＦ（Ｈｏｍｅ  Ｒａｄｉｏ  Ｆｒｅｑｕｅｎｃｙ）、ＢｌｕｅＴｏｏｔｈなどの各種の技術があるが、この実施の形態においては公知の各種の無線通信技術を利用することができる。なお、ここでは、たとえば標準仕様やコストなどの面から、赤外線通信を好ましい一例として用いることができる。
【００５６】
ＨＤＤ（Ｈａｒｄ  Ｄｉｓｋ  Ｄｒｉｖｅ）２０７は、ＨＤ（Ｈａｒｄ  Ｄｉｓｋ）２０８に対する情報の読み取り／書き込みの制御を行う。なお、印刷プログラムが、たとえばＤＶＤ（Ｄｉｇｉｔａｌ  Ｖｅｒｓａｔｉｌｅ  Ｄｉｓｋ）、ＣＤ（Ｃｏｍｐａｃｔ  Ｄｉｓｋ）、ＣＤ−ＲＯＭ（ＣＤ−Ｒ、ＣＤ−ＲＷ）、ＭＯ（Ｍａｇｎｅｔｏ−Ｏｐｔｉｃａｌ  ｄｉｓｋ）、メモリカードなどに記録されている場合、ＨＤＤ２０７に代えて、これらに記録された情報の少なくとも読み取りが可能な専用のドライブ装置を用いることができる。
【００５７】
ＨＤ２０８は、各種制御プログラムや各種情報を、たとえばコンピュータに読み取り可能に記録する。ＨＤ２０８は、ＨＤＤ２０７による情報の書き込みを受け付けるとともに、書き込まれた情報を不揮発に記録する。この実施の形態のＨＤ２０８には、たとえば後述するように、画像フレームを選択して表示したり、文字情報を入力したりする画像フレーム編集プログラムが記録されるとともに、印刷装置１５０に対して合成処理や印刷処理を実行させる印刷プログラムが記録されている。これにより、この実施の形態では、ＨＤ２０８によってこの発明の記録媒体が実現される。また、この実施の形態のＨＤ２０８には、印刷プログラムの実行に際して必要な各種の情報が記録されている。なお、印刷プログラムは、このハードウェア構成を印刷装置１５０に適用した場合には、印刷装置１５０のＨＤ２０８に記録されていてもよい。
【００５８】
ここで、画像フレーム編集プログラムや印刷プログラムは、ＨＤ２０８に記録されているものに限らない。ＨＤ２０８に代えて、上述したＤＶＤ、ＣＤ、ＣＤ−ＲＯＭ（ＣＤ−Ｒ、ＣＤ−ＲＷ）、ＭＯ、メモリカードなどに画像フレーム編集プログラムや印刷プログラムが記録されていてもよい。画像フレーム編集プログラムや印刷プログラムの実行に際し、ＤＶＤ、ＣＤ、ＣＤ−ＲＯＭ（ＣＤ−Ｒ、ＣＤ−ＲＷ）、ＭＯ、メモリカードなどに記録されたプログラムを用いる場合、この携帯情報端末１００では、ＤＶＤ、ＣＤ、ＣＤ−ＲＯＭ（ＣＤ−Ｒ、ＣＤ−ＲＷ）、ＭＯ、メモリカードなどに記録された情報の読み取りが可能な後述する記録媒体デコード部２０９によって画像フレーム編集プログラムや印刷プログラムが読み込まれる。
【００５９】
ＨＤ２０８には、たとえば携帯情報端末１００のディスプレイ２０５を駆動するための専用の駆動ドライバが格納されている。駆動ドライバは、ディスプレイ２０５による描画処理を実行させるためのソフトウェアによる処理でＣＰＵ２０１とディスプレイ２０５との橋渡し的役割を担う。なお、これに限らず、駆動ドライバを、たとえばファームウェアにより構成したり、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）により構成したりしてもよい。
【００６０】
記録媒体デコード部２０９は、たとえば記録媒体２１０に記録された画像データや画像フレーム編集プログラムおよび印刷プログラムなどの各種情報の読み取りを制御する。なお、この発明を実現する記録媒体（この実施の形態ではＨＤ２０８）と、記録媒体デコード部２０９が読み取り対象とする記録媒体２１０とは異なるものである。以降、記録媒体デコード部２０９が読み取り対象とする記録媒体２１０を記録メディアとして符号２１０を付して説明する。また、画像データなどは、記録媒体２１０に記録されたものに限られず、たとえば携帯情報端末１００のＨＤ２０８やＲＯＭ２０２、ＲＡＭ２０３などに記憶されたものや、Ｉ／Ｆ２０６を介して携帯情報端末１００に取得されたものなど、種々の形態のものを利用することができる。
【００６１】
記録媒体デコード部２０９は、可搬性を有し、記録媒体デコード部２０９に対して着脱可能な記録メディア２１０を読み取り対象とする。具体的に、記録メディア２１０は、たとえば、ＤＶＤ、ＣＤ、ＣＤ−ＲＯＭ（ＣＤ−Ｒ、ＣＤ−ＲＷ）、ＭＯ、メモリカードなどによって実現することができる。
【００６２】
記録メディア２１０が、たとえば、ＣＤ−ＲＯＭ（ＣＤ−Ｒ、ＣＤ−ＲＷ）である場合、記録媒体デコード部２０９は、ＣＤ−ＲＯＭドライブによって実現される。ＣＤ−ＲＯＭドライブについては、公知の技術であるため、図示および説明を省略する。たとえば、ＤＶＤ、ＣＤ、ＣＤ−ＲＯＭ（ＣＤ−Ｒ、ＣＤ−ＲＷ）、ＭＯ、メモリカードなどによって記録メディア２１０を実現した場合には、これらの記録メディア２１０に対する情報の読み取りが可能なドライブ装置によって記録媒体デコード部２０９が実現される。
【００６３】
なお、前述の記憶部１０７は、ＲＯＭ２０２およびＲＡＭ２０３とともに、あるいはこれらに代わって、ＨＤＤ２０７、ＨＤ２０８、記録媒体デコード部２０９、および記録媒体２１０によってその機能を実現することもできる。ここで、上述したハードウェア構成を印刷装置１５０に適用する場合は、印刷装置１５０において印刷処理を実行する図示しない印刷出力部が備えられ、この印刷出力部は、用紙などの記録媒体上に画像を形成する画像形成エンジン、当該画像形成エンジンを通過するように用紙などの記録媒体を搬送する搬送モータなどを備えて構成されるとよい。また、印刷装置１５０がスキャナやコピーの機能を備える場合は、画像形成エンジンは、用紙などの記録媒体上に形成された画像を読み込んでイメージ画像を形成するようにしてもよい。この実施の形態における印刷装置１５０のハードウェア構成においても、上記携帯情報端末１００とほぼ同様のハードウェア構成を適用することができるため、ここでは説明を省略する。
【００６４】
（携帯情報端末および印刷装置による印刷処理手順）
図３は、この実施の形態における携帯情報端末および印刷装置による印刷処理手順の一例を示すフローチャートである。図３を参照して、以下に、この実施の形態における印刷処理手順について説明する。なお、以降において、主に図１および図２を参照しながら説明をおこなうが、既に説明した部分と重複する箇所は同一の符号を附して説明を省略する。
【００６５】
具体的に、図３に示す処理は、図２に示した携帯情報端末１００のＲＯＭ２０２、ＲＡＭ２０３、ＨＤ２０８、記録媒体（記録メディア）２１０などに記憶（記録）された画像フレーム編集プログラムや印刷プログラムをＣＰＵ２０１が実行するとともに、印刷装置１５０へ各種情報を送信し、これら各種情報を受信した印刷装置１５０によって印刷処理を実行することで実現する。印刷処理手順は、まず、たとえばユーザが操作する携帯情報端末１００によって、外部のサーバなどへの通信がおこなわれ、画像フレームのダウンロードサイトへアクセスする（ステップＳ３０１）。
【００６６】
図４は、ステップＳ３０１の処理によってダウンロードサイトへアクセスした携帯情報端末１００の表示画面１０６（ディスプレイ２０５）の一例を示す図である。表示画面１０６には、画像フレーム管理処理をおこなっている旨を示す『画像フレーム管理』という表示文とともに、画像フレームのダウンロードサイトへアクセスしたことを示す『画像フレームダウンロード』という表示文が表示されている。また、表示画面１０６には、任意の画像データのイメージ画像にはめ込み合成される複数の画像フレームの中から、たとえば文字情報を編集可能な文字編集領域を有する画像フレームを、ユーザに選択させるための選択項目４０１が表示されている。
【００６７】
この選択項目４０１には、たとえば『撮影済み画像一覧』という表示文で撮影済み画像の一覧を選択させる項目、『文字列入力』という表示文で文字編集領域を有する画像フレームの一覧を選択させる項目、および『終了』という表示文で画像フレーム管理処理の終了を選択させる項目がある。なお、表示文は一例であって、携帯情報端末１００において画像フレームなどを選択させる旨の内容であれば、いかなるもの（たとえば、イラストやアニメーションを用いたもの）であってもよい。また、表示文の表示に代えて、あるいは表示文の表示とともに、所定の確認音や音声メッセージを出力するようにしてもよい。
【００６８】
ステップＳ３０１においてダウンロードサイトへアクセスしたのち、携帯情報端末１００によって、文字編集領域を有する画像フレームを選択決定する（ステップＳ３０２）。文字編集領域を有する画像フレームを選択決定すると、図４に示すように、携帯情報端末１００の表示画面１０６において、たとえば『文字列入力』という表示文が強調表示され、文字編集領域を有する画像フレームの一覧が選択決定されたことが示される。
【００６９】
ステップＳ３０２において文字編集領域を有する画像フレームを選択決定したのち、携帯情報端末１００によって、文字編集領域を有する画像フレームをダウンロードして取得する（ステップＳ３０３）。このとき、携帯情報端末１００は、たとえば画像フレームの属性情報に基づいて文字編集領域を有する画像フレームを識別して抽出し、ダウンロードして取得する。
【００７０】
図５は、ステップＳ３０３の処理によって文字編集領域を有する画像フレームをダウンロードした携帯情報端末１００の表示画面１０６の一例を示す図である。表示画面１０６には、画像フレーム一覧処理をおこなっている旨を示す『画像フレーム一覧』という表示文が表示されている。また、表示画面１０６には、文字編集領域を有する複数の画像フレームの中から、任意の画像フレームをユーザに選択させるための選択項目５０１が表示されている。
【００７１】
この選択項目５０１は、たとえば『ｆｒａｍｅ００１．ｆｄ２』という画像フレーム名の文字列表示で任意の画像フレームを選択させるように表示されている。なお、選択項目５０１は、画像フレーム名の文字列表示の他に、たとえば画像フレームのサムネイル表示で任意の画像フレームを選択させるように表示されていてもよい。
【００７２】
ステップＳ３０３において文字編集領域を有する画像フレームをダウンロードして取得したのち、携帯情報端末１００によって、任意の画像フレームを選択決定する（ステップＳ３０４）。任意の画像フレームを選択決定すると、図５に示すように、携帯情報端末１００の表示画面１０６において、たとえば『ｆｒａｍｅ００２．ｆｄ２』という画像フレーム名の文字列表示が強調表示され、強調表示された画像フレームが選択決定されたことが示される。
【００７３】
ステップＳ３０４において任意の画像フレームを選択決定すると、携帯情報端末１００によって、任意の画像フレームを表示画面１０６に表示する（ステップＳ３０５）。
【００７４】
図６は、ステップＳ３０５の処理によって表示画面１０６に表示された画像フレームの一例を示す図である。画像フレーム６００は、任意の画像データのイメージ画像６０１にはめ込み合成されるとともに、所定位置に文字編集領域６０２が備えられている。文字編集領域６０２には、たとえば『あけましておめでとう』、『賀正』という文字情報があらかじめ入力されている。ここでは、『あけましておめでとう』という文字情報が入力された文字編集領域６０２に、異なる文字情報を入力することとする。
【００７５】
ステップＳ３０５において任意の画像フレーム６００を表示画面１０６に表示したのち、携帯情報端末１００によって、文字編集領域６０２への文字情報の入力をおこなう（ステップＳ３０６）。このステップＳ３０６においては、表示画面１０６に画像フレーム６００が表示されてもよいし、文字編集領域６０２のみが表示されてもよい。
【００７６】
図７は、ステップＳ３０６の処理によって文字編集領域６０２への文字情報の入力をおこなう携帯情報端末１００の表示画面１０６の一例を示す図である。表示画面１０６には、文字情報の入力処理をおこなっている旨を示す『文字列一覧』という表示文が表示されるとともに、たとえば任意の画像フレーム６００の文字編集領域６０２にあらかじめ設定された複数の文字情報の中から、文字編集領域６０２に入力する任意の文字情報をユーザに選択させるための選択項目７０１が表示されている。
【００７７】
この選択項目７０１は、たとえば『１．あけましておめでとう』、『２．謹賀新年』、『３．Ｈａｐｐｙ  Ｎｅｗ  Ｙｅａｒ』という文字列表示で任意の文字情報を選択させるように表示されている。ここでは、『２．謹賀新年』という文字情報が選択されている。なお、選択項目７０１は、携帯情報端末１００によって直接文字情報を文字編集領域６０２に入力させるように構成されていてもよい。
【００７８】
図８は、選択された文字情報が表示された携帯情報端末１００の表示画面１０６の一例を示す図である。上記のように、携帯情報端末１００によって選択項目７０１の中から任意の文字情報を選択すると、表示画面１０６上に選択された文字情報の文字列表示がおこなわれる。ここでは、『謹賀新年』という文字情報が選択されたことを示す文字列表示がおこなわれている。なお、図示は省略するが、文字編集領域６０２への文字情報の入力がおこなわれると、その入力した文字情報を携帯情報端末１００において保存するか否かの確認文が表示画面１０６に表示される。この確認文は、たとえば『文字情報を保存しますか？』という文字列表示で表示される。ここで、文字情報を保存するように選択した場合は、図８に示すように、表示画面１０６上に、たとえば『保存終了』という確認文が表示される。
【００７９】
ステップＳ３０６において文字編集領域６０２への文字情報の入力をおこなったのち、
携帯情報端末１００によって、画像データと、この画像データのイメージ画像６０１にはめ込み合成される画像フレーム６００と、を印刷装置１５０に送信する（ステップＳ３０７）。なお、このステップＳ３０７においては、文字編集領域６０２に入力された文字情報も画像フレーム６００に対応づけられて印刷装置１５０に送信される。
【００８０】
ステップＳ３０７において画像データと画像フレーム６００とを送信したのち、印刷装置１５０によって、画像データおよび画像フレーム６００を受信し（ステップＳ３０８）、受信した画像データおよび画像フレーム６００を合成する（ステップＳ３０９）。そして、印刷装置１５０によって、画像フレーム６００と合成された画像データのイメージ画像６０１を印刷出力する（ステップＳ３１０）。これにより、本フローチャートによる一連の印刷処理を終了する。なお、ステップＳ３０９における合成処理は、携帯情報端末１００によっておこなわれてもよい。
【００８１】
図９は、ステップＳ３１０の処理によって印刷出力された画像の一例を示す図である。図９において、出力画像９０１は、図示しない文字編集領域６０２に入力された『謹賀新年』という文字情報の文字列９０２を備える画像フレーム６００とイメージ画像６０１とが合成処理されたものである。なお、画像フレーム６００の文字編集領域６０２への文字情報の入力処理によって、実際に画像フレーム６００に文字情報を埋め込んで合成する処理は、印刷装置１５０側でおこなってもよい。
【００８２】
このように、この実施の形態の携帯情報端末１００では、複数の画像フレームの中から、文字編集領域６０２を有する画像フレーム６００を抽出し、文字編集領域６０２に文字情報を入力して、画像データと画像フレーム６００とが合成された画像を作成することができる。なお、上記ステップＳ３０１〜Ｓ３０４およびステップＳ３０６ならびにステップＳ３０７の処理は、ユーザによって携帯情報端末１００側でおこなわれ、ステップＳ３０８〜ステップＳ３１０の処理は、印刷装置１５０によっておこなわれるものであるが、印刷処理手順を説明する便宜上の観点から、図３のフローチャートにおいて記載した。また、携帯情報端末１００の表示画面１０６に表示される各種情報は、印刷装置１５０がディスプレイ２０５を有する場合、このディスプレイ２０５に適宜表示されてもよい。
【００８３】
以上説明したように、この発明の実施の形態の携帯情報端末によれば、任意の画像データのイメージ画像にはめ込み合成される複数の画像フレームの中から、文字情報を編集可能な文字編集領域を有する画像フレームが抽出されて表示され、表示された画像フレームの文字編集領域に任意の文字情報が入力されて、画像データと画像フレームとが印刷装置に送信される。これにより、携帯情報端末から画像データと画像フレームとを印刷装置に対して送信し、印刷装置に文字情報が入力された画像データの印刷をおこなわせることができる。
【００８４】
また、複数の画像フレームから文字編集領域を有する画像フレームを抽出して文字情報を入力することで、画像フレームの選択処理や文字情報の入力処理などに関してユーザが容易かつ直感的に作業することができる。
【００８５】
また、この発明の実施の形態の携帯情報端末によれば、複数の画像フレームの中から、文字編集領域を有する画像フレームが属性情報に基づいて抽出される。これにより、複数の画像フレームの中から、文字編集領域を有する画像フレームを効率よく抽出することができる。
【００８６】
また、この発明の実施の形態の携帯情報端末によれば、抽出された画像フレームの文字編集領域は、携帯情報端末の表示画面に表示される。これにより、抽出した画像フレームの文字編集領域に任意の文字情報を入力する際に、表示された文字編集領域を視認しながら容易かつ直感的に入力することができる。
【００８７】
加えて、この発明の実施の形態の携帯情報端末によれば、抽出した画像フレームの文字編集領域にあらかじめ設定された複数の文字情報の中から、任意の文字情報が選択されることによって入力される。これにより、抽出した画像フレームの文字編集領域に任意の文字情報を入力する際に、あらかじめ設定された複数の文字情報の中から、選択した文字情報を入力することができる。
【００８８】
さらに、この発明の実施の形態の印刷装置によれば、任意の画像データと、当該画像データにはめ込み合成され文字情報が入力された画像フレームと、が携帯情報端末から受信され、これら画像データおよび画像フレームが合成されて、画像データが印刷される。これにより、携帯情報端末から各種情報を受信するといった簡単な作業で文字情報を合成した画像フレームとともに画像データを印刷することができ、画像印刷処理におけるユーザにとっての煩雑な作業の軽減を図ることができる。
【００８９】
なお、本実施の形態で説明した印刷方法は、あらかじめ用意されたプログラムを、たとえば携帯情報端末や印刷装置に組み込まれたコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００９０】
【図１】携帯情報端末および印刷装置の機能的構成の一例を示すブロック図。
【図２】携帯情報端末のハードウェア構成の一例を示すブロック図。
【図３】印刷処理手順の一例を示すフローチャート。
【図４】携帯情報端末の表示画面の一例を示す図。
【図５】携帯情報端末の表示画面の一例を示す図。
【図６】画像フレームの一例を示す図。
【図７】携帯情報端末の表示画面の一例を示す図。
【図８】携帯情報端末の表示画面の一例を示す図。
【図９】印刷出力された画像の一例を示す図。
【符号の説明】
【００９１】
１００  携帯情報端末、１０１  抽出部、１０２  表示部、１０３  文字情報入力部、１０４  送信部、１０５  取得部、１０６  表示画面、１０７  記憶部、１５１  受信部、１５２  合成部、１５３  印刷部、２０１  ＣＰＵ、２０２  ＲＯＭ、２０３  ＲＡＭ、２０４  ユーザ操作部、２０５  ディスプレイ、２０６  Ｉ／Ｆ、２０７  ＨＤＤ、２０８  ＨＤ、２０９  記録媒体デコード部、２１０  記録媒体、６００  画像フレーム、６０２  文字編集領域、９０２  文字列
【図１】
2006277493.tif 000003
【図２】
2006277493.tif 000004
【図３】
2006277493.tif 000005
【図４】
2006277493.tif 000006
【図５】
2006277493.tif 000007
【図６】
2006277493.tif 000008
【図７】
2006277493.tif 000009
【図８】
2006277493.tif 000010
【図９】
2006277493.tif 000011